(57)【要約】【課題】広告画像を表示した携帯端末用ケースに携帯端末をロック状態で収納してユーザに貸与することにより広告を行い、その対価として、ユーザにポイントを還元する広告システムを提供する。【解決手段】広告システムＳは、会員であるユーザＵが所有する携帯端末１及び会員カード２と、広告画像が表示された広告画像部３及び携帯端末１をロック状態で収納するためのロック機構を備え、ユーザＵに貸与される携帯端末用ケース４と、提携店舗Ｔに設置される店舗用端末５と、提携店舗Ｔに設置され、携帯端末用ケース４のロック機構をロック状態とロック解除状態とに切換操作するための着脱用治具６と、カード管理会社Ｃ等に設置され、ユーザＵと提携店舗Ｔとの取引に応じてユーザＵに付与されるポイントを管理する管理サーバ７とを有し、携帯端末１、店舗用端末５及び管理サーバ７がネットワークＮを介して接続されている。【選択図】  図１
2014064150.tif 000002
【特許請求の範囲】
【請求項１】
会員であるユーザが所有する携帯端末及び会員カードと、広告画像が表示された広告画像部及び前記携帯端末をロック状態で収納するためのロック機構を備え、前記ユーザに貸与される携帯端末用ケースと、提携店舗に設置される店舗用端末と、前記提携店舗に設置され、前記携帯端末用ケースのロック機構をロック状態とロック解除状態とに切換操作するための着脱用治具と、前記ユーザと前記提携店舗との取引に応じて前記ユーザに付与されるポイントを管理する管理サーバとを有し、前記携帯端末、前記店舗用端末及び管理サーバがネットワークを介して接続されている広告システムであって、
前記会員カードには会員識別コードが表示され、
前記広告画像部には広告画像識別コードが表示され、
前記店舗用端末は、前記会員識別コード及び広告画像識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報及び使用広告画像情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
前記提携店舗に出向いた前記ユーザによって、前記携帯端末用ケースに表示すべき広告画像が決定された場合、前記提携店舗の店員によって、前記店舗用端末の読取手段により前記会員識別コード及び該当する前記広告画像識別コードを読み取り、読み取られた各コード情報を前記第１の送信手段により前記管理サーバに送信し、
前記管理サーバは、前記第２の受信手段により受信された前記各コード情報に基づいて、前記データベースの情報を前記第２の制御手段により登録又は更新し、
前記提携店舗の店員又は前記提携店舗に出向いた前記ユーザによって、前記着脱用治具を用いて前記広告画像が表示された広告画像部を備えた前記携帯端末用ケースを前記携帯端末にロック状態で収納し、その状態で前記ユーザに所定の貸与期間貸与され、
前記所定の貸与期間が経過した場合、前記管理サーバの前記第２の制御手段は、対象となる前記ユーザに所定のポイントを付与するように前記データベースを更新する、
ことを特徴とする広告システム。
【請求項２】
新しい広告画像に変更する場合には、前記提携店舗の店員又は前記提携店舗に出向いた前記ユーザによって前記着脱用治具を用いて、前記携帯端末用ケースのロック状態が解除され、新しい広告画像が表示された広告画像部に変更した後、再度前記携帯端末用ケースがロック状態にされる、
ことを特徴とする請求項１に記載の広告システム。
【請求項３】
前記携帯端末用ケースにはケース識別コードが表示され、
前記店舗用端末の読取手段は、前記ケース識別コードを読み取り可能であり、
前記管理サーバのデータベースは、前記ユーザによって使用されている携帯端末用ケースに関する使用携帯端末用ケース情報を格納し、
前記提携店舗の店員によって、前記店舗用端末の読取手段により前記ケース識別コードを読み取り、読み取られた前記ケース識別コード情報を前記第１の送信手段により前記管理サーバに送信し、
前記管理サーバは、前記第２の受信手段により受信された前記ケース識別コード情報に基づいて、前記データベースの使用携帯端末用ケース情報を前記第２の制御手段により登録又は更新する、
ことを特徴とする請求項１又は２に記載の広告システム。
【請求項４】
会員であるユーザが所有する携帯端末及び会員カードと、広告画像が表示された広告画像部及び前記携帯端末をロック状態で収納するためのロック機構を備え、前記ユーザに貸与される携帯端末用ケースと、提携店舗に設置される店舗用端末と、前記提携店舗に設置され、前記携帯端末用ケースのロック機構をロック状態とロック解除状態とに切換操作するための着脱用治具と、前記ユーザと前記提携店舗との取引に応じて前記ユーザに付与されるポイントを管理する管理サーバとを有し、前記携帯端末、前記店舗用端末及び管理サーバがネットワークを介して接続され、
前記会員カードには会員識別コードが表示され、
前記広告画像部には広告画像識別コードが表示され、
前記店舗用端末は、前記会員識別コード及び広告画像識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報及び使用広告画像情報を格納するデータベースと、各種情報を送信する第２の送信手段と、各種情報を受信する第２の受信手段と、前記データベース、前記第２の送信手段及び前記第２の受信手段の処理を制御する第２の制御手段とを有する広告システムによる広告方法であって、
（１）前記提携店舗に出向いた前記ユーザによって、前記携帯端末用ケースに表示すべき広告画像が決定された場合、前記提携店舗の店員によって、前記店舗用端末の読取手段により前記会員識別コード及び該当する前記広告画像識別コードを読み取るステップと、
（２）読み取られた各コード情報を前記第１の送信手段により前記管理サーバに送信するステップと、
（３）前記管理サーバの前記第２の受信手段により受信された前記各コード情報に基づいて、前記データベースの情報を前記第２の制御手段により登録又は更新するステップと、
（４）前記提携店舗の店員又は前記提携店舗に出向いた前記ユーザによって、前記着脱用治具を用いて前記広告画像が表示された広告画像部を備えた前記携帯端末用ケースを前記携帯端末にロック状態で収納し、その状態で前記ユーザに所定の貸与期間貸与されるステップと、
（５）前記所定の貸与期間が経過した場合、前記管理サーバの前記第２の制御手段は、対象となる前記ユーザに所定のポイントを付与するように前記データベースを更新するステップと、
を有することを特徴とする広告方法。
【請求項５】
新しい広告画像に変更する場合には、前記提携店舗の店員又は前記提携店舗に出向いた前記ユーザによって前記着脱用治具を用いて、前記携帯端末用ケースのロック状態が解除され、新しい広告画像が表示された広告画像部に変更した後、再度前記携帯端末用ケースがロック状態にされるステップを有することを特徴とする請求項４に記載の広告方法。
【請求項６】
前記携帯端末用ケースにはケース識別コードが表示され、
前記店舗用端末の読取手段は、前記ケース識別コードを読み取り可能であり、
前記管理サーバのデータベースは、前記ユーザによって使用されている携帯端末用ケースに関する使用携帯端末用ケース情報を格納し、
前記ステップ（１）では、前記提携店舗の店員によって、前記店舗用端末の読取手段により前記ケース識別コードを前記会員識別コード及び該当する前記広告画像識別コードとともに読み取り、
前記ステップ（２）では、読み取られた前記ケース識別コード情報を前記第１の送信手段により前記管理サーバに送信し、
前記ステップ（３）では、前記管理サーバは、前記第２の受信手段により受信された前記ケース識別コード情報に基づいて、前記データベースの使用携帯端末用ケース情報を前記第２の制御手段により登録又は更新する、
ことを特徴とする請求項４又は５に記載の広告方法。
【請求項７】
請求項１乃至３のいずれか１つの項に記載の広告システムに用いられることを特徴とする管理サーバ。
【請求項８】
請求項７に記載の管理サーバの前記第２の制御手段の処理を実行させることを特徴とするプログラム。
【請求項９】
請求項１乃至３のいずれか１つの項に記載の広告システムに用いられることを特徴とする携帯端末用ケース。
【請求項１０】
２以上のケース部材からなり、
前記ロック機構は、前記着脱用治具により各ケース部材間を係止させることによりロック状態にするものである、
ことを特徴とする請求項９に記載の携帯端末用ケース。
【請求項１１】
前記携帯端末が収納される第１のケース部材と、第２のケース部材とからなり、
前記ロック機構は、第１のケース部材に形成された係止孔に、前記第２のケース部材に設けられた係止爪が出し入れ可能に係止されるように構成されている、
ことを特徴とする請求項９に記載の携帯端末用ケース。
【請求項１２】
前記第２のケース部材には、前記係止爪を備え、軸線を中心に回動可能に取り付けられた係止部が設けられ、
前記係止部には、前記着脱用治具に形成された嵌合突起部が嵌合される嵌合穴が形成され、
前記着脱用治具に形成された嵌合突起部を前記係止部の嵌合穴に嵌合させた状態で、前記着脱用治具を軸線を中心に回動させることにより前記係止部を回動させ、第１のケース部材に形成された係止孔に、前記係止爪を出し入れさせて、ロック状態とロック解除状態とに切り換えられる、
ことを特徴とする請求項１１に記載の携帯端末用ケース。
【請求項１３】
前記広告画像部を出し入れ可能に収納する広告画像収納部を有していることを特徴とする請求項９乃至１２のいずれか１つの項に記載の携帯端末用ケース。
【請求項１４】
前記広告画像収納部は、前記広告画像部を載置する基台板と、透明板とを備えており、
前記基台板と前記透明板との間に前記広告画像部を位置決めすることにより、前記透明板を通して外部から前記広告画像部の広告画像が見えるように構成されていることを特徴とする請求項１３に記載の携帯端末用ケース。
【請求項１５】
前記携帯端末を収納した際に、前記携帯端末の機能部、操作部及び外部接続部が設けられた位置に対応する位置に開口部及び又は切り欠き部が形成されていることを特徴とする請求項９乃至１４のいずれか１つの項に記載の携帯端末用ケース。
【発明の詳細な説明】
【技術分野】
【０００１】
本発明は、携帯端末用ケースを用いた広告システム、広告方法、管理サーバ、プログラム及び携帯端末用ケースに関し、特に、広告画像を表示した携帯端末用ケースに携帯端末をロック状態で収納してユーザに貸与することにより広告を行い、その対価として、ユーザにポイントを還元するための携帯端末用ケースを用いた広告システム、広告方法、管理サーバ、プログラム及び携帯端末用ケースに関する。
【背景技術】
【０００２】
一般に、スマートフォン、携帯電話、携帯情報端末機、携帯ゲーム機等の携帯端末を落下や衝撃から保護するために、種々の形態やデザインのケース（ホルダー）が提案されている。
【０００３】
例えば、特許文献１には、携帯端末を手で持つときに携帯端末を手に保持させるホルダーにおいて、携帯端末の掌が接する部分に取付けられる取付けベースと、取付けベースに取付けられる取付けピンと、取付けピンにピン回りに回転自在又は変形可能に取付けられ、指が差し込まれるリングとを備えた携帯端末ホルダーが提案されている。この携帯端末ホルダーによれば、縦向きにしても横向きにしても操作しやすく、しかも落下を確実に防止できる、としている（以下、この技術を従来例１という）。
【０００４】
また、特許文献２には、広告宣伝や情報を印刷したメモ用紙を備えた携帯電話ケースが提案されている（以下、この技術を従来例２という）。
【０００５】
さらに、携帯端末の画面上に広告を表示することも広く知られている（以下、この技術を従来例３という）。
【特許文献１】特開２０１１−３５８１０号公報
【特許文献２】実用新案登録第３１０８５５７号公報
【発明の概要】
【発明が解決しようとする課題】
【０００６】
従来例１では、携帯端末ホルダーが専ら落下防止のために用いられるものであり、広告媒体として利用されていないという課題があった。
【０００７】
従来例２では、携帯電話ケースが広告媒体として利用されているが、広告効果がどの程度あったのか、どのような広告が有効であったのか等のマーケティング情報を全く得ることができないという課題があった。
【０００８】
また、携帯電話のユーザが携帯電話ケースに収納していない場合には、広告効果が得られず、携帯電話ケースに収納しているか否かの確認も行うことができないという課題があった。
【０００９】
従来例３では、広告をアピールする対象が携帯端末を利用するユーザに限定されるという課題があった。
【００１０】
また、インターネット等のネットワークから広告配信されるので、携帯端末の電源を入れ、かつネットワークに接続された環境でなければ広告効果を得られないという課題があった。
【００１１】
本発明は、上記課題を解決するためになされたものであり、広告画像を表示した携帯端末用ケースに携帯端末をロック状態で収納してユーザに貸与することにより広告を行い、その対価として、ユーザにポイントを還元することにより、ユーザ以外の第三者に対しても広告効果を広めることができ、有益なマーケティング情報を得ることができ、安価で確実かつ効率的な広告効果を得ることができる携帯端末用ケースを用いた広告システム、広告方法、管理サーバ、プログラム及び携帯端末用ケースを提供することを目的とする。
【課題を解決するための手段】
【００１２】
本発明の広告システムは、会員であるユーザが所有する携帯端末及び会員カードと、広告画像が表示された広告画像部及び前記携帯端末をロック状態で収納するためのロック機構を備え、前記ユーザに貸与される携帯端末用ケースと、提携店舗に設置される店舗用端末と、前記提携店舗に設置され、前記携帯端末用ケースのロック機構をロック状態とロック解除状態とに切換操作するための着脱用治具と、前記ユーザと前記提携店舗との取引に応じて前記ユーザに付与されるポイントを管理する管理サーバとを有し、前記携帯端末、前記店舗用端末及び管理サーバがネットワークを介して接続されている広告システムであって、
前記会員カードには会員識別コードが表示され、
前記広告画像部には広告画像識別コードが表示され、
前記店舗用端末は、前記会員識別コード及び広告画像識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報及び使用広告画像情報を格納するデータベースと、各種情報を送信する第２の送信手段と、各種情報を受信する第２の受信手段と、前記データベース、前記第２の送信手段及び前記第２の受信手段の処理を制御する第２の制御手段とを有し、
前記提携店舗に出向いた前記ユーザによって、前記携帯端末用ケースに表示すべき広告画像が決定された場合、前記提携店舗の店員によって、前記店舗用端末の読取手段により前記会員識別コード及び該当する前記広告画像識別コードを読み取り、読み取られた各コード情報を前記第１の送信手段により前記管理サーバに送信し、
前記管理サーバは、前記第２の受信手段により受信された前記各コード情報に基づいて、前記データベースの情報を前記第２の制御手段により登録又は更新し、
前記提携店舗の店員又は前記提携店舗に出向いた前記ユーザによって、前記着脱用治具を用いて前記広告画像が表示された広告画像部を備えた前記携帯端末用ケースを前記携帯端末にロック状態で収納し、その状態で前記ユーザに所定の貸与期間貸与され、
前記所定の貸与期間が経過した場合、前記管理サーバの前記第２の制御手段は、対象となる前記ユーザに所定のポイントを付与するように前記データベースを更新する、
ことを特徴とするものである。
【００１３】
新しい広告画像に変更する場合には、前記提携店舗の店員又は前記提携店舗に出向いた前記ユーザによって前記着脱用治具を用いて、前記携帯端末用ケースのロック状態が解除され、新しい広告画像が表示された広告画像部に変更した後、再度前記携帯端末用ケースがロック状態にされてもよい。
【００１４】
前記携帯端末用ケースにはケース識別コードが表示され、
前記店舗用端末の読取手段は、前記ケース識別コードを読み取り可能であり、
前記管理サーバのデータベースは、前記ユーザによって使用されている携帯端末用ケースに関する使用携帯端末用ケース情報を格納し、
前記提携店舗の店員によって、前記店舗用端末の読取手段により前記ケース識別コードを読み取り、読み取られた前記ケース識別コード情報を前記第１の送信手段により前記管理サーバに送信し、
前記管理サーバは、前記第２の受信手段により受信された前記ケース識別コード情報に基づいて、前記データベースの使用携帯端末用ケース情報を前記第２の制御手段により登録又は更新するものでもよい。
【００１５】
本発明の広告方法は、会員であるユーザが所有する携帯端末及び会員カードと、広告画像が表示された広告画像部及び前記携帯端末をロック状態で収納するためのロック機構を備え、前記ユーザに貸与される携帯端末用ケースと、提携店舗に設置される店舗用端末と、前記提携店舗に設置され、前記携帯端末用ケースのロック機構をロック状態とロック解除状態とに切換操作するための着脱用治具と、前記ユーザと前記提携店舗との取引に応じて前記ユーザに付与されるポイントを管理する管理サーバとを有し、前記携帯端末、前記店舗用端末及び管理サーバがネットワークを介して接続され、
前記会員カードには会員識別コードが表示され、
前記広告画像部には広告画像識別コードが表示され、
前記店舗用端末は、前記会員識別コード及び広告画像識別コードを読み取り可能な読取手段と、各種情報を送信する第１の送信手段と、各種情報を受信する第１の受信手段と、前記読取手段、前記第１の送信手段及び前記第１の受信手段の処理を制御する第１の制御手段とを有し、
前記管理サーバは、ユーザ登録情報、ポイント情報及び使用広告画像情報を格納するデータベースと、各種情報を送信する第２の送信手段と、各種情報を受信する第２の受信手段と、前記データベース、前記第２の送信手段及び前記第２の受信手段の処理を制御する第２の制御手段とを有する広告システムによる広告方法であって、
（１）前記提携店舗に出向いた前記ユーザによって、前記携帯端末用ケースに表示すべき広告画像が決定された場合、前記提携店舗の店員によって、前記店舗用端末の読取手段により前記会員識別コード及び該当する前記広告画像識別コードを読み取るステップと、
（２）読み取られた各コード情報を前記第１の送信手段により前記管理サーバに送信するステップと、
（３）前記管理サーバの前記第２の受信手段により受信された前記各コード情報に基づいて、前記データベースの情報を前記第２の制御手段により登録又は更新するステップと、
（４）前記提携店舗の店員又は前記提携店舗に出向いた前記ユーザによって、前記着脱用治具を用いて前記広告画像が表示された広告画像部を備えた前記携帯端末用ケースを前記携帯端末にロック状態で収納し、その状態で前記ユーザに所定の貸与期間貸与されるステップと、
（５）前記所定の貸与期間が経過した場合、前記管理サーバの前記第２の制御手段は、対象となる前記ユーザに所定のポイントを付与するように前記データベースを更新するステップと、
を有することを特徴とするものである。
【００１６】
新しい広告画像に変更する場合には、前記提携店舗の店員又は前記提携店舗に出向いた前記ユーザによって前記着脱用治具を用いて、前記携帯端末用ケースのロック状態が解除され、新しい広告画像が表示された広告画像部に変更した後、再度前記携帯端末用ケースがロック状態にされるステップを有してもよい。
【００１７】
前記携帯端末用ケースにはケース識別コードが表示され、
前記店舗用端末の読取手段は、前記ケース識別コードを読み取り可能であり、
前記管理サーバのデータベースは、前記ユーザによって使用されている携帯端末用ケースに関する使用携帯端末用ケース情報を格納し、
前記ステップ（１）では、前記提携店舗の店員によって、前記店舗用端末の読取手段により前記ケース識別コードを前記会員識別コード及び該当する前記広告画像識別コードとともに読み取り、
前記ステップ（２）では、読み取られた前記ケース識別コード情報を前記第１の送信手段により前記管理サーバに送信し、
前記ステップ（３）では、前記管理サーバは、前記第２の受信手段により受信された前記ケース識別コード情報に基づいて、前記データベースの使用携帯端末用ケース情報を前記第２の制御手段により登録又は更新するものでもよい。
【００１８】
本発明の管理サーバは、上記広告システムに用いられることを特徴とするものである。
【００１９】
本発明のプログラムは、上記管理サーバの前記第２の制御手段の処理を実行させることを特徴とするものである。
【００２０】
本発明の携帯端末用ケースは、上記広告システムに用いられることを特徴とするものである。
【００２１】
２以上のケース部材からなり、
前記ロック機構は、前記着脱用治具により各ケース部材間を係止させることによりロック状態にするものであってもよい。
【００２２】
前記携帯端末が収納される第１のケース部材と、第２のケース部材とからなり、
前記ロック機構は、第１のケース部材に形成された係止孔に、前記第２のケース部材に設けられた係止爪が出し入れ可能に係止されるように構成されているものでもよい。
【００２３】
前記第２のケース部材には、前記係止爪を備え、軸線を中心に回動可能に取り付けられた係止部が設けられ、
前記係止部には、前記着脱用治具に形成された嵌合突起部が嵌合される嵌合穴が形成され、
前記着脱用治具に形成された嵌合突起部を前記係止部の嵌合穴に嵌合させた状態で、前記着脱用治具を軸線を中心に回動させることにより前記係止部を回動させ、第１のケース部材に形成された係止孔に、前記係止爪を出し入れさせて、ロック状態とロック解除状態とに切り換えられるものでもよい。
【００２４】
前記広告画像部を出し入れ可能に収納する広告画像収納部を有してもよい。
【００２５】
前記広告画像収納部は、前記広告画像部を載置する基台板と、透明板とを備えており、
前記基台板と前記透明板との間に前記広告画像部を位置決めすることにより、前記透明板を通して外部から前記広告画像部の広告画像が見えるように構成されていてもよい。
【００２６】
前記携帯端末を収納した際に、前記携帯端末の機能部、操作部及び外部接続部が設けられた位置に対応する位置に開口部及び又は切り欠き部が形成されていてもよい。
【発明の効果】
【００２７】
本発明によれば、次のような効果を奏する。
【００２８】
（１）広告画像が表示され、人の目にとまりやすい携帯端末用ケースを広告媒体にしてユーザに貸与することにより広告を行うので、携帯端末のユーザだけでなく、周りの第三者に対しても広告画像を提示することになるので、広告効果をより広めることができる。
【００２９】
（２）携帯端末用ケースを広告媒体にしており、携帯端末の電源をＯＦＦにした状態であったり、インターネット等のネットワークに接続していない状態であっても広告効果を得ることができ、簡易で安価な広告システムを構築できる。
【００３０】
（３）ユーザにとっては、携帯端末用ケースを利用して携帯端末を保護できるだけでなく、ポイントが付与されるので、本広告システムに対するユーザのリピート率が高まり、効率よく広告効果を高めることができる。
【００３１】
（４）提携店舗にとっては、本広告システムに対するユーザのリピート率が高まることにより集客効果を得ることができ、提携店舗の収益向上につながる。
【００３２】
（５）カード管理会社や提携店舗にとっては、どの広告画像がどの程度の広告効果があるのか、どのような広告が有効であったのか等の有益なマーケティング情報を広告スポンサーに提供できる。例えば広告画像とすべき候補が複数ある場合、従来であれば広告スポンサーが候補の中から一つを選択して使用していたが、本広告システムでは、すべての候補の広告画像を使用して、どの広告画像が有効であるのかを使用後のデータ等により判断することが可能である。
【００３３】
（６）携帯店舗に設置された専用の着脱用治具を用いて携帯端末用ケースをロック状態にしてユーザに貸与しているので、ユーザが勝手に携帯端末用ケースから携帯端末を取り外すことを防止でき、確実で信頼性の高い広告効果を得ることができる。
【図面の簡単な説明】
【００３４】
【図１】本発明の実施形態例に係る広告システムを示すブロック図である。
【図２】（Ａ）は本発明の実施形態例に係る広告システムに用いられる会員カードの例を示す表面図、（Ｂ）はその裏面図である。
【図３】（Ａ）は本発明の実施形態例に係る広告システムに用いられる広告画像部の例を示す表面図、（Ｂ）はその裏面図である。
【図４】本発明の実施形態例に係る広告システムに用いられる携帯端末用ケースの例を示す背面図である。
【図５】（Ａ）は携帯端末用ケースに携帯端末を収納している状態の正面側を示す斜視図、（Ｂ）は携帯端末用ケースに携帯端末を収納している状態の背面側を示す斜視図である。
【図６】（Ａ）は携帯端末用ケースに携帯端末を収納している状態を示す平面図、（Ｂ）はその底面図、（Ｃ）は図５（Ｂ）のＶＩ−ＶＩ線断面図である。
【図７】透明板を取り外した状態の携帯端末用ケースの正面側を示す分解斜視図である。
【図８】透明板を取り付けた状態の携帯端末用ケースの正面側を示す斜視図である。
【図９】携帯端末用ケースの第１の部材の背面側を示す斜視図である。
【図１０】携帯端末用ケースに広告画像部を挿入している状態を示す斜視図である。
【図１１】携帯端末用ケースに広告画像部を挿入した後の状態を詳細に示す斜視図である。
【図１２】（Ａ）は第１のケース部材の底面側を詳細に示す斜視図、（Ｂ）は第２のケース部材を示す斜視図、（Ｃ）は第２のケース部材を示す背面図である。
【図１３】係止部及び着脱用治具を示す分解斜視図である。
【図１４】（Ａ）は係止部及び着脱用治具を示す斜視図、（Ｂ）は第１の係止爪が係止孔に入り込んでいる状態を示す断面図である。
【図１５】本発明の実施形態例に係る広告方法を説明するためのフローチャートである。
【図１６】携帯端末用ケースの第１のケース部材に携帯端末を収納した状態を示す斜視図である。
【図１７】携帯端末用ケースの第１のケース部材に第２のケース部材を装着した状態を示す斜視図である。
【図１８】着脱用治具を用いて、携帯端末用ケースのロック機構を操作している状態を示す斜視図である。
【図１９】作業用トレイを示す斜視図である。
【図２０】携帯端末用ケースの貸与時にユーザに手渡されるレシートの例を示す説明図である。
【発明を実施するための最良の形態】
【００３５】
以下、本発明の実施の形態について図面を参照して説明する。図１は本発明の実施形態例に係る広告システムを示すブロック図、図２（Ａ）は本発明の実施形態例に係る広告システムに用いられる会員カードの例を示す表面図、（Ｂ）はその裏面図、図３（Ａ）は本発明の実施形態例に係る広告システムに用いられる広告画像部の例を示す表面図、（Ｂ）はその裏面図、図４は本発明の実施形態例に係る広告システムに用いられる携帯端末用ケースの例を示す背面図である。
【００３６】
図１に示すように、本発明の実施形態例に係る広告システムＳは、会員であるユーザＵが所有する携帯端末１及び会員カード２と、広告画像が表示された広告画像部３及び携帯端末１をロック状態で収納するためのロック機構を備え、ユーザＵに貸与される携帯端末用ケース４と、提携店舗Ｔに設置される店舗用端末５と、提携店舗Ｔに設置され、携帯端末用ケース４のロック機構をロック状態とロック解除状態とに切換操作するための着脱用治具６と、カード管理会社Ｃ等に設置され、ユーザＵと提携店舗Ｔとの取引に応じてユーザＵに付与されるポイントを管理する管理サーバ７とを有し、携帯端末１、店舗用端末５及び管理サーバ７がネットワークＮを介して接続されている。
【００３７】
携帯端末１は、例えばスマートフォン、携帯電話、携帯情報端末機、携帯ゲーム機等である。
【００３８】
会員カード２は、ユーザＵが提携店舗Ｔにおいて商品の購入やサービスの提供等の取引をする際に店員に提示することにより、ポイントの付与を受けるための媒体であり、磁気カード、ＩＣカード等の記録媒体が用いられる。付与されるポイント数は取引の内容等所定の基準に応じて適宜設定されている。なお、ユーザＵは、アンケートへの回答や金融機関の口座開設等取引以外でもポイントの付与を受けることができ、また、取得したポイントを用いて、当該提携店舗Ｔにおいて商品を購入したり、サービスの提供を受けたり、募金等を行うことも可能である。
【００３９】
図２に示すように、会員カード２の表面にはカード名や模様等が表示され（図２（Ａ）参照）、その裏面には会員を識別するための会員識別コード２ａであるバーコードが表示されている（図２（Ｂ）参照）。なお、会員識別コード２ａとしてＱＲコード（登録商標）等の二次元コードが用いられてもよい。
【００４０】
広告画像部３は例えば紙、プラスチック、フィルム等で作られており、図３に示すように、広告画像部３の表面には広告画像が表示され（図３（Ａ）参照）、その裏面には広告画像を識別するための広告画像識別コード３ａであるバーコードが表示されている（図３（Ｂ）参照）。なお、広告画像識別コード３ａとしてＱＲコード（登録商標）等の二次元コードが用いられてもよい。
【００４１】
携帯端末用ケース４は、全体がプラスチック、金属、皮等の材質で作られており、図４に示すように、略長方形の底面部４ｂと、その底面部４ｂの周縁に形成された外枠部４ｃとからなる断面略凹状の本体８を有し、外枠部４ｃの内側に携帯端末１が嵌り収納される。
【００４２】
携帯端末用ケース４の底面部４ｂの裏面には携帯端末用ケース４を識別するためのケース識別コード４ａであるバーコードが表示されている（図４参照）。ケース識別コード４ａとしてＱＲコード（登録商標）等の二次元コードが用いられてもよい。
【００４３】
ケース識別コード４ａは、ユーザＵによって使用されている携帯端末用ケース４を識別するために用いられるものであり、特に、１人のユーザＵが複数の携帯端末１を所有し、各携帯端末１にそれぞれ異なる広告画像部３を同時に使用する場合に必要となる情報である。
【００４４】
なお、１人のユーザＵが使用可能な携帯端末用ケース４の数を制限する等所定の条件を付けた場合には、必ずしもケース識別コード４ａを表示しなくてもよい。
【００４５】
次に、携帯端末用ケース４の構造を詳細に説明する。なお、携帯端末用ケース４の構造については種々の形態が考えられ、以下説明する形態は例示であり、これに限定されるものではない。
【００４６】
図５（Ａ）は携帯端末用ケースに携帯端末を収納している状態の正面側を示す斜視図、（Ｂ）は携帯端末用ケースに携帯端末を収納している状態の背面側を示す斜視図、図６（Ａ）は携帯端末用ケースに携帯端末を収納している状態を示す平面図、（Ｂ）はその底面図、（Ｃ）は図５のＶＩ−ＶＩ線断面図、図７は透明板を取り外した状態の携帯端末用ケースの正面側を示す分解斜視図、図８は透明板を取り付けた状態の携帯端末用ケースの正面側を示す斜視図、図９は携帯端末用ケースの第１の部材の背面側を示す斜視図、図１０は携帯端末用ケースに広告画像部を挿入している状態を示す斜視図、図１１は携帯端末用ケースに広告画像部を挿入した後の状態を詳細に示す斜視図、図１２（Ａ）は第１のケース部材の底面側を詳細に示す斜視図、（Ｂ）は第２のケース部材を示す斜視図、（Ｃ）は第２のケース部材を示す背面図、図１３は係止部及び着脱用治具を示す分解斜視図、図１４（Ａ）は係止部及び着脱用治具を示す斜視図、（Ｂ）は第１の係止爪が係止孔に入り込んでいる状態を示す断面図である。
【００４７】
図５及び図６に示すように、携帯端末用ケース４の本体８は、携帯端末１を収納する第１のケース部材９と、その第１のケース部材９に着脱可能に取り付けられる第２のケース部材１０とからなる。
【００４８】
第１のケース部材９の正面側には広告画像部３を出し入れ可能に収納する広告画像収納部１１を有しており、背面側の外枠部４ｃに携帯端末１が嵌り収納される。
【００４９】
図６（Ｃ）、図７〜図１１に示すように、広告画像収納部１１は、広告画像部３を載置する基台板１２と、透明板１３とを備えており、基台板１２と透明板１３との間に広告画像部３を位置決めすることにより、透明板１３を通して外部から広告画像部３の広告画像が見えるように構成されている。
【００５０】
図９〜図１１に示すように、基台板１２には、広告画像部３を出し入れするための広告画像出入口１２ａが形成されており、広告画像出入口１２ａから広告画像部３が挿入される（図１０参照）。
【００５１】
広告画像収納部１１には、挿入された広告画像部３の基端部を位置決めするために凸状に形成された第１のガイド突起部１４が設けられている（図１１参照）。また、基台板１２には、挿入された広告画像部３側に付勢して広告画像部３の裏面を押し付けて固定する第１の押付片１５が設けられている。また、基台板１２の広告画像出入口１２ａの中間部には、広告画像部３を取り出しやすいように、湾曲状に形成された第１の切り欠き部１２ｂが形成されている。
【００５２】
図６（Ｃ）に示すように、基台板１２と携帯端末１との間の空間には、会員カード２等の各種のカード類（カードに限らず、カードサイズの任意のものも含む）を収納するためのカード収納部１６が形成されている。
【００５３】
図６（Ｂ）に示すように、第２のケース部材１０の底面には、カード収納部１６に連通し、カード類を出し入れするためのカード出入口１０ａが形成されている。
【００５４】
図９〜図１１に示すように、基台板１２には、挿入された各種カード類の先端部を位置決めするために凸状に形成された第２のガイド突起部１７が設けられている。また、基台板１２には、挿入されたカード類側に付勢してカード類の面を押し付けて固定する一対の第２の押付片１８が設けられている。また、基台板１２の底面側の表面には、カード類を取り出しやすいように、湾曲状に形成された第２の切り欠き部１２ｃが形成されている。
【００５５】
第１のケース部材９及び第２のケース部材１０には、携帯端末１を収納した際に、携帯端末１の機能部（例えばマイク部、カメラ用レンズ部、スピーカ部等）、操作部（例えば電源ボタン、サウンドボタン、音量調整ボタン、ホームボタン等）及び外部接続部（例えば電源コネクタ部、イヤホンジャック部等）が設けられた位置に対応する位置に開口部や切り欠き分が適宜形成されているのが好ましい。
【００５６】
例えば、第１のケース部材９の側面には、携帯端末１のサウンドボタン１ａ及び音量調整ボタン１ｂに対応する位置に第１の開口部４ｄが形成され（図５（Ａ）参照）、その平面には携帯端末１のイヤホンジャック部１ｃに対応する位置に第２の開口部４ｅ、電源ボタン１ｄに対応する位置に第３の開口部４ｆが形成され、その底面には電源コネクタ部１ｅ、マイク部１ｆ、スピーカ部１ｇに対応する位置に第４の開口部４ｇが形成され、その正面にはカメラ用レンズ部１ｈに対応する位置に第５の開口部４ｈが形成されている。
【００５７】
また、第２のケース部材１０の背面には、携帯端末１のホームボタン１ｉに対応する位置に第３の切り欠き部４ｉが形成されている。
【００５８】
次に、着脱用治具６により第１のケース部材９及び第２のケース部材１０間を係止させることにより携帯端末用ケース４をロック状態にするロック機構について説明する。
【００５９】
図７〜図１０及び図１２（Ａ）に示すように、第１のケース部材９の底面側には、背面視断面略L字状に形成され、第１のケース部材９の両側面から長手方向に延びた基板部１９ａと、その基板部１９ａの先端から内側に折れ曲がった側板部１９ｂとからなる係止片１９が設けられている。係止片１９の基板部１９aには係止孔１９ｃが形成され、側板部１９ｂには挿入孔１９ｄが形成されている。
【００６０】
一方、図７、図８図、１２（Ｂ）、（Ｃ）に示すように、第２のケース部材１０の両端部には係止部２０が挿入される係止部挿入孔２１が貫通して形成され（図７参照）、係止部２０が係止部挿入孔２１内で軸線を中心に回動可能に取り付けられている。
【００６１】
図７、図１３及び図１４に示すように、係止部２０は、円柱状に形成され、先端部に外側に突出した第１の係止爪２２ａが形成された係止体２２と、円柱状に形成され、係止体２２側に向いた内面に係止体２２側に延びた一対の第２の係止爪２３ａが形成された回動体２３とを有する。
【００６２】
係止体２２の略中央部には、回動体２３の第２の係止爪２３ａが挿入され係止される係止片挿入孔２２ｂが形成され、係止体２２の第１の係止片挿入孔２２ｂ内に回動体２３の第２の係止爪２３ａが挿入され係止されることにより、係止体２２と回動体２３とが一体となる。なお、係止体２２と回動体２３は分離している必要はなく、一体的に成形されていてもよい。
【００６３】
回動体２３の外面には、着脱用治具６の先端面に形成された嵌合突起部６ａが嵌合される嵌合穴２３ｂが形成されている（図１３参照）。
【００６４】
着脱用治具６は、プラスチック、合成樹脂、金属等の材質で作られており、片手で操作できる大きさに形成されている。
【００６５】
図１３に示すように、着脱用治具６の基端部６ｂは治具本体６ｃから分離できるように構成されており、基端部６ｂの内面に一対の第３の係止爪６ｄが設けられている。第３の係止爪６ｄの先端部が治具本体６ｃに形成された挿入孔６ｅに係止されることにより、治具本体６ｃと基端部６ｂとが一体となる。なお、治具本体６ｃと基端部６ｂは分離している必要はなく、一体的に成形されていてもよい。
【００６６】
本実施形態例のロック機構によれば、第１のケース部材９に第２のケース部材１０を装着することにより、第２のケース部材１０の係止部２０の係止体２２が、第１のケース部材９の係止片１９の挿入孔１９ｄに挿入される。
【００６７】
次いで、着脱用治具６に形成された嵌合突起部６ａを係止部２０の嵌合穴２３ｂに嵌合させる。
【００６８】
この状態で、着脱用治具６を軸線を中心に一方向に回動させることにより、係止部２０を一方向に回動させて、第１のケース部材９の係止片１９に形成された係止孔１９ｃに、第１の係止爪２２ａが入り込むことにより（図１４（Ｂ）参照）、ロック機構をロック状態にする。
【００６９】
逆に、着脱用治具６を軸線を中心に他方向に回動させることにより、係止部２０を他方向に回動させて、第１のケース部材９の係止片１９に形成された係止孔１９ｃから第１の係止爪２２ａが出て行くことにより、ロック機構をロック解除状態にする。
【００７０】
なお、第２のケース部材１０の正面両端部には、第２のケース部材１０が第１のケース部材９の係止片１９と基台板１２との間に入り込めるようにするために長手方向に延びた溝部１０ｂが形成されている（図７参照）。
【００７１】
提携店舗Ｔは、例えばコンビニエンスストア、ＤＶＤ・ＣＤ・ゲームソフト・書籍等のレンタル店、音楽・映像ソフトの販売店、旅行代理店、飲食店、ガソリンスタンド、スポーツクラブ店、レンタカー店等である。
【００７２】
店舗用端末５は、例えばＰＯＳ（Point Of Sale)システムに用いられる情報管理端末が用いられ、会員識別コード２ａ、広告画像識別コード３ａ及びケース識別コード４ａを読み取り可能なバーコードリーダ等の読取部５ａと、各種情報を送信する第１の送信部５ｂと、各種情報を受信する第１の受信部５ｃ、読取部５ａ、第１の送信部５ｂ及び第１の受信部５ｃの処理を制御する第１の制御部５ｄとを有する。
【００７３】
管理サーバ７は、例えばワークステーションサーバなどの情報処理装置であり、各種情報を格納するデータベース７ａと、各種情報を送信する第２の送信部７ｂと、各種情報を受信する第２の受信部７ｃと、データベース７ａ、第２の送信部７ｂ及び第２の受信部７ｃの処理を制御する第２の制御部７ｄとを有する。
【００７４】
データベース７ａは、ユーザ登録情報、ポイント情報等を格納する会員データベースと、使用広告画像情報、使用携帯端末用ケース情報などを格納する広告データベースとを有する。なお、データベース７ａにおいては、使用携帯端末用ケース情報と使用広告画像情報とを連結（リンク）して格納していてもよいが、ユーザＵ毎に使用している携帯端末用ケースの個数情報だけを格納して、必ずしも使用携帯端末用ケース情報と使用広告画像情報とを連結（リンク）して格納していなくてもよい。これによって、新しい広告画像の登録のたびにケース識別コード４ａを読み込む必要がなくなり、作業性が向上する。
【００７５】
また、１人のユーザＵが使用可能な携帯端末用ケース４の数を制限する等所定の条件を付けた場合には、携帯端末用ケース４にケース識別コード４ａを表示しない場合もあり、この場合には、データベース７ａには使用携帯端末用ケース情報を格納しないことになる。
【００７６】
ネットワークＮは、例えばインターネット（ＴＣＰ／ＩＰ（Transmission Control Protocol/Internet Protocol）によるデータ転送網）、イントラネット等である。
【００７７】
図１５は本発明の実施形態例に係る広告方法を説明するためのフローチャート、図１６は携帯端末用ケースの第１のケース部材に携帯端末を収納した状態を示す斜視図、図１７は携帯端末用ケースの第１のケース部材に第２のケース部材を装着した状態を示す斜視図、図１８は着脱用治具を用いて、携帯端末用ケースのロック機構を操作している状態を示す斜視図、図１９は作業用トレイを示す斜視図、図２０は携帯端末用ケースの貸与時にユーザに手渡されるレシートの例を示す説明図である。
【００７８】
なお、前提として、ユーザＵは本広告システムＳを利用するための登録手続きは済んでおり、その登録情報は管理サーバ７のデータベース７ａに登録されているものとする。
【００７９】
まず、提携店舗Ｔに出向いたユーザＵによって、携帯端末用ケース４に表示すべき広告画像が決定される。広告画像は、例えば雑誌や専用シート等に複数列挙して掲載され、その中からユーザＵが適宜選択できるようにしてもよい。また、広告画像部３は提携店舗Ｔが所有してもよく、ユーザＵが雑誌等から切り抜いて、それを広告画像部３として使用してもよい。
【００８０】
提携店舗Ｔの店員によって、店舗用端末５の読取部５ａにより会員識別コード２ａ、該当する広告画像識別コード３ａ及びケース識別コード４ａを読み取る（ステップＳ１）。なお、携帯端末用ケース４にケース識別コード４ａが表示されていない場合には、ケース識別コード４ａを読み取らない。
【００８１】
次いで、読み取られた各コード情報を第１の送信部５ｂにより管理サーバ７に送信する（ステップＳ２）。
【００８２】
次いで、管理サーバ７は、第２の受信部７ｃにより受信された各コード情報に基づいて、データベース７ａの情報を第２の制御部７ｄにより登録又は更新する（ステップＳ３）。
【００８３】
次いで、提携店舗Ｔの店員又は提携店舗Ｔに出向いたユーザＵによって、広告画像が表示された広告画像部３を備えた携帯端末用ケース４の第１のケース部材９に携帯端末１を収納し（図１６参照）、第２のケース部材２を取り付ける（図１７参照）。
【００８４】
そして、着脱用治具６を用いて携帯端末用ケース４を携帯端末１にロック状態で収納し（図１８参照）、その状態でユーザＵに所定の貸与期間貸与される（ステップＳ４）。提携店舗Ｔの店員ではなくユーザＵが操作しても、着脱用治具６が提携店舗Ｔ内に設置されている限り問題はない。
【００８５】
携帯端末用ケース４への携帯端末１の着脱作業は、例えば図１９に示すような作業用トレイ２４上で行われるのが好ましい。
【００８６】
本広告システムＳを利用したユーザＵには、例えば図２０に示すようなレシート２５が提携店舗Ｔの店舗用端末５の出力部５ｅによって印刷され、手渡される。レシート２５には、登録された広告画像名、実装日、指定された実装期間、現在のポイント、付与予定ポイント、付与予定日等の情報が掲載される。
【００８７】
所定の貸与期間経過した場合、管理サーバ７の第２の制御部７ｄは、対象となるユーザＵに所定のポイントを付与するようにデータベース７ａを更新する（ステップＳ５）。付与されるポイント数は、例えば（実装日×１０ポイント）の数式で算出される。
【００８８】
ユーザＵは携帯端末１やパソコン等を利用して、カード管理会社Ｃで運用されているポイント履歴に関するサイトにアクセスすることにより、ポイント付与の確認を行うことができる。
【００８９】
新しい広告画像に変更する場合には、提携店舗Ｔの店員又は提携店舗Ｔに出向いたユーザＵによって着脱用治具６を用いて、携帯端末用ケース４のロック状態が解除され（図１８参照）、新しい広告画像が表示された広告画像部３に変更した後、再度携帯端末用ケース４をロック状態にして、ユーザＵに貸与される。
【００９０】
なお、携帯端末用ケース４の返却が遅延しても、ユーザＵが携帯端末用ケース４を使用している限り広告効果が発生しているので問題はなく、返却遅延に対して特にペナルティを課す必要はない。
【００９１】
また、何らかの理由により、ユーザＵが携帯端末用ケース４から携帯端末１を取り外す必要が生じた場合には、ユーザＵが提携店舗Ｔに出向いて携帯端末１の取り外し作業が行われることになる。この場合、付与されるポイントについては、例えば日割り計算して、その分だけのポイントを付与したり、規定日数の半分を過ぎていれば半分だけポイントを付与してもよい。あるいは、規定日数前に携帯端末用ケース４を取り外した場合にはポイントを付与しないようにしたり、装着した段階でポイントの一部を付与し、その後規定日数前に取り外した場合には残りのポイントを付与しないようにしてもよい。
【００９２】
本発明のプログラム３０は、管理サーバ７の第２の制御部７ｄの処理を実行させること特徴とするものである。このプログラム３０は、磁気ディスク、ＣＤ−ＲＯＭ、半導体メモリ等の記録媒体に記録されていてもよく、通信ネットワークＮを介してダウンロードされるものでもよい。
【００９３】
本発明の実施形態例によれば、広告画像が表示され、人の目にとまりやすい携帯端末用ケース４を広告媒体にしてユーザＵに貸与することにより広告を行うので、携帯端末１のユーザＵだけでなく、周りの第三者に対しても広告画像を提示することになるので、広告効果をより広めることができる。
【００９４】
また、携帯端末用ケース４を広告媒体にしており、携帯端末１の電源をＯＦＦにした状態であったり、インターネット等のネットワークＮに接続していない状態であっても広告効果を得ることができ、簡易で安価な広告システムＳを構築できる。
【００９５】
また、ユーザＵにとっては、携帯端末用ケース４を利用して携帯端末１を保護できるだけでなく、ポイントが付与されるので、本広告システムＳに対するユーザＵのリピート率が高まり、効率よく広告効果を高めることができる。
【００９６】
また、提携店舗Ｔにとっては、本広告システムＳに対するユーザＵのリピート率が高まることにより集客効果を得ることができ、提携店舗Ｔの収益向上につながる。
【００９７】
また、カード管理会社Ｃや提携店舗Ｔにとっては、どの広告画像がどの程度の広告効果があるのか、どのような広告が有効であったのか等の有益なマーケティング情報を広告スポンサーに提供できる。例えば広告画像とすべき候補が複数ある場合、従来であれば広告スポンサーが候補の中から一つを選択して使用していたが、本広告システムＳでは、すべての候補の広告画像を使用して、どの広告画像が有効であるのかを使用後のデータ等により判断することが可能である。
【００９８】
さらに、携帯店舗Ｔに設置された専用の着脱用治具６を用いて携帯端末用ケース４をロック状態にしてユーザに貸与しているので、ユーザＵが勝手に携帯端末用ケース４から携帯端末１を取り外すことを防止でき、確実で信頼性の高い広告効果を得ることができる。
【００９９】
本発明は、上記実施の形態に限定されることはなく、特許請求の範囲に記載された技術的事項の範囲内において、種々の変更が可能である。
【０１００】
例えば、携帯端末１の画面上に会員識別コード２ａを表示させることにより、会員カード２の代用にしてもよい。
【０１０１】
また、携帯端末用ケース４は、３以上のケース部材からなり、着脱用治具６により各ケース部材間を係止させることによりロック状態にするものであってもよい。
【０１０２】
さらに、ケース部材間は必ずしも分離している必要はなく、ヒンジ等によって開閉可能に取り付けられていたり、互いにスライドできるように取り付けられていてもよい。
【０１０３】
（関連出願の発明との比較）
本件出願人は、本件発明に関連した発明を、平成２４年６月６日に特許出願しており（特願２０１２−１２９１５２号  以下、この出願を関連出願という）、当該関連出願に関し、平成２４年８月２１日に特許査定の通知を受理した。
関連出願の発明と本件出願の発明とは以下の点で相違する。
【０１０４】
（１）関連出願の発明では、携帯端末用ケースのロック状態を解除するための取り外し治具を用いているのに対し、本件発明は、携帯端末用ケース４のロック機構をロック状態とロック解除状態とに切換操作するための着脱用治具６を用いている。
【０１０５】
（２）関連出願の発明では、携帯端末用ケースにケース識別コードが表示されている点を必須要件としているのに対し、本件発明では、請求項１では必須要件とせず、従属項としている。例えば、ユーザが利用可能な携帯端末用ケース４の個数を限定する等の所定の条件を課せば、使用携帯端末用ケース情報を把握していなくても問題ない場合もある。
【０１０６】
（３）関連出願の発明では、広告画像部を備えた携帯端末用ケースを携帯端末にロック状態で収納する者が提携店舗の店員であるのに対し、本件発明では提携店舗Ｔに出向いたユーザＵの場合もある。ユーザＵが操作しても、着脱用治具６が提携店舗Ｔ内に設置されている限り問題はない。
【０１０７】
（４）関連出願の発明では、ユーザが提携店舗に出向かないとポイントが付与されないが、本件発明では、所定の貸与期間が経過すればポイントは付与される。携帯端末用ケース４の返却が遅延しても、ユーザＵが携帯端末用ケース４を使用している限り広告効果が発生しているので、問題はない。
従って、本件出願の発明は、関連出願の発明とは異なるので、同一性はなく、特許されるものと確信する。
【産業上の利用可能性】
【０１０８】
本発明は、スマートフォン、携帯電話、携帯情報端末機、携帯ゲーム機等の携帯端末を収納し、広告画像を表示した携帯端末用ケースを広告媒体にしてユーザに貸与することにより広告を行う。
【符号の説明】
【０１０９】
Ｓ：広告システム
Ｔ：提携店舗
Ｕ：ユーザ
Ｃ：カード管理会社
Ｎ：ネットワーク
１：携帯端末
２：会員カード
３：広告画像部
４：携帯端末用ケース
５：店舗用端末
６：着脱用治具
７：管理サーバ
３０：プログラム
【図１】
2014064150.tif 000003
【図２】
2014064150.tif 000004
【図３】
2014064150.tif 000005
【図４】
2014064150.tif 000006
【図５】
2014064150.tif 000007
【図６】
2014064150.tif 000008
【図７】
2014064150.tif 000009
【図８】
2014064150.tif 000010
【図９】
2014064150.tif 000011
【図１０】
2014064150.tif 000012
【図１１】
2014064150.tif 000013
【図１２】
2014064150.tif 000014
【図１３】
2014064150.tif 000015
【図１４】
2014064150.tif 000016
【図１５】
2014064150.tif 000017
【図１６】
2014064150.tif 000018
【図１７】
2014064150.tif 000019
【図１８】
2014064150.tif 000020
【図１９】
2014064150.tif 000021
【図２０】
2014064150.tif 000022
【手続補正書】
【提出日】平成24年10月18日(2012.10.18)
【手続補正１】
【補正対象書類名】特許請求の範囲
【補正対象項目名】請求項６
【補正方法】変更
【補正の内容】
【請求項６】
前記携帯端末用ケースにはケース識別コードが表示され、
前記店舗用端末の読取手段は、前記ケース識別コードを読み取り可能であり、
前記管理サーバのデータベースは、前記ユーザによって使用されている携帯端末用ケースに関する使用携帯端末用ケース情報を格納し、
前記ステップ（１）では、前記提携店舗の店員によって、前記店舗用端末の読取手段により前記ケース識別コードを前記会員識別コード及び該当する前記広告画像識別コードとともに読み取り、
前記ステップ（２）では、読み取られた前記ケース識別コード情報を前記会員識別コード及び該当する前記広告画像識別コードの各コード情報とともに前記第１の送信手段により前記管理サーバに送信し、
前記ステップ（３）では、前記管理サーバは、前記第２の受信手段により受信された前記ケース識別コード情報と、前記会員識別コード及び該当する前記広告画像識別コードの各コード情報とに基づいて、前記データベースの情報を前記第２の制御手段により登録又は更新する、
ことを特徴とする請求項４又は５に記載の広告方法。